Podtech/llm-jp-corpus-v4-ja_patent huggingface dataset:
(57)【要約】【課題】血行促進等に用いる軽量で高磁束密度の磁気ブレスレット【解決手段】ネオジュームー鉄系の磁石リングを包むようにビニル樹脂等で穴球を作製する。多数の穴球をゴム紐に通して磁気ブレスレットを作製する。隣接する穴球とのあいだに同じ磁石リングを介在しても良い。ゴム紐の先端の連結金具に磁石を採用する。【効果】高い磁束密度により神経組織は活性化され血行は促進される。【選択図】　　　図１
2004129879.tif 000002
【特許請求の範囲】
【請求項１】
ネオジュームー鉄系の磁石リング１を、プラスチック樹脂やビニル樹脂で包んで穴球２を作製し、多数の穴球２にゴム紐を通してなる、磁気ブレスレット。
【請求項２】
ネオジュームー鉄系の磁石リング１をビニル樹脂で包んで透明な穴球２を作製し、多数の穴球２をゴム紐で通してなる、磁気ブレスレット。
【請求項３】
ネオジュームー鉄系の磁石リング１をプラスチック樹脂やビニル樹脂で包んで穴球２を作製し、この穴球２と磁石リング１を交互にゴム紐に通してなる、磁気ブレスレット。
【発明の詳細な説明】
【０００１】
【発明の属する技術分野】
本発明は血行促進と体温上昇をもたらす磁気ブレスレットに関する。
【０００２】
【従来の技術】
健康器具として磁気ブレスレットは手首や足首そして陰茎等に試用される。量産の関係上リング径の多様性に答えることが難しい。磁気球や紐とのアレルギーも問題である。
【０００３】
【発明が解決しようとする課題】
陰茎に利用する磁気ブレスレットはドウナツ状弾性体内に磁石を埋設するが、外径が大きく重たいために常時使用することはできない。手首等の従来磁気ブレスレットは磁石の磁束密度が低いため十分な血行促進効果は得られにくい。ネオジュームー鉄系磁石は磁束密度が極めて高いが高価格と加工性に難点があるため、磁気ブレスレット等の健康器具には使用されてこなかった。
【０００４】
【課題を解決するための手段】
ネオジュームー鉄系の磁石リングを、プラスチック樹脂やビニル樹脂で包んで穴球を作製し、多数の穴球にゴム紐を通して磁気ブレスレットを作製する。
【０００５】
【発明の実施の形態】
ネオジュームー鉄系の磁石リング１をプラスチック樹脂やビニル樹脂で包んで穴球２を作製する。透明なビニル樹脂の穴球２は磁石リング１の透孔に沿った透孔を有する（第３図）。穴球２の直径は８ミリである。ゴム紐３に多数の穴球２を通し、ゴム紐３の先端の連結磁石４にてネックレスとなし、磁気ブレスレットを作製する。黄金色の磁石リング１を内蔵する透明な穴球２の連結は、ブレスレットとしての商品性を高めると共に、透磁率の高いビニル樹脂の採用により磁気効果を向上させる。手首等に装着すると、血流や神経系統が刺激され近傍の体温は上昇する。
第２図の実施例は、穴球２を不透明なプラスチック樹脂で成形したもので、内蔵されている磁石リング１は見えない。この穴球２をゴム紐３で同じように連結する際に、磁石リング１を介在させる。人体への磁束密度は上記実施例よりも更に高くなる。ネックレス径の変更は穴球２を外すように隣接する磁石リング１、１を接触する。
ネオジュームー鉄系の磁石リング１は従来磁石に較べて磁束密度が高いため、小型・軽量化が可能になった。
【０００６】
【発明の効果】
周囲へ発散する磁束密度が極めて高いために、血行は促進され、神経組織は活性化される。本発明の磁気ブレスレットを手首に装着して３０分後、サーモグラフィで観察すると手に赤みが増してきた。足裏は第二の心臓とも言われ、足首の本発明の磁気ブレスレットを取り付けると、背中の痛みや腰痛が軽くなるとの使用者の弁。軽量で磁束密度の高い本発明の磁気ブレスレットは利用者に大いなる福音を与える。陰茎の変化に対しても本発明の磁気ブレスレットは追従できその使用心地と大いなる元気は筆舌に尽くし難い。
【図面の簡単な説明】
【図１】正面図である。
【図２】他の実施例の正面図である。
【図３】穴球の拡大図である。
【符号の説明】
１　　　　磁石リング
２　　　　穴球
３　　　　ゴム紐
【図１】
2004129879.tif 000003
【図２】
2004129879.tif 000004
【図３】
2004129879.tif 000005
(57)【要約】【課題】狭い場所でも有効な食事用の椅子や勉強用の椅子と休息用の椅子を兼用できる機能を背もたれの高さとリクライニングの機能重視した椅子をえる。【解決手段】座部１の上端に背もたれ兼用座部２の部前端が連結枢支され、背もたれ兼用座部２の中間部には脚部後部と後端が連結枢支された背もたれ兼用座部支持連結具の前端が連結枢支されるとともに背もたれ兼用座部後端には背もたれ部下部が連結枢支され、該連結枢支位置より下方の背もたれ部下部には前端が背もたれ兼用座部支持連結具４の前部に連結枢支された背もたれ支持連結具５の後端が連結枢支される。座部１を上方に回転させると背もたれ兼用座部と背もたれ部は連動しハイバックの椅子にすることができる。【選択図】　　　図１
2004129807.tif 000002
【特許請求の範囲】
【請求項１】
背もたれ兼用座部の下方に座部が位置し、背もたれ兼用座部の前端に座部の上部が連結枢支され、前記座部の中間部と脚部とが連結枢支されるとともに、上記背もたれ兼用座部の中間部に背もたれ兼用座部支持連結具の前端が連結枢支され後端は脚部後部と連結枢支される。背もたれ部の下部と背もたれ兼用座部の後端が連結枢支され該枢支位置より下部の背もたれ部には背もたれ支持連結具の後端が連結枢支され、前端は背もたれ兼用座部支持連結具の背もたれ兼用座部と背もたれ兼用座部支持連結具の枢支位置より後方に位置する部分と連結枢支される機構として、上記座部を上方に回転させることで座部を使用できる位置に傾斜させながら、背もたれ兼用座部と背もたれ部を略延長方向に形成させると同時に傾斜することを特徴とする多用途椅子。
【請求項２】
請求項１の多用途椅子の背もたれ部と背もたれ支持連結具を取り除いた腰掛け椅子の状態から背もたれ兼用座部を背もたれにすることを特徴とする多用途椅子。
【発明の詳細な説明】
【０００１】
【発明の属する技術分野】
本発明は座部を上方に回転させるだけで容易に多用途に変換できる椅子に関するものである。
【０００２】
【従来の技術】
従来の椅子は様々な用途に対応するために背もたれ部をリクライニングさせるものなどがある、背もたれ部をリクライニングさせる機構は座部と背もたれ部材との接続部分に同背もたれ角度調整用としてギヤを組み込んだ方式の椅子や、可動の椅子フレームとベース組立体の間で作動接続された比較的複雑な機構の椅子などがある。又背もたれの高さはリクライニングした休息時の高さの状態の椅子が殆どである。
【０００３】
【発明が解決しようとする課題】
都市部のワンルームマンションなどでは，食事用椅子や勉強用椅子と休息用椅子とを同時に置くスペースを確保できない。食事用椅子や勉強用椅子などで食事や勉強をするときは、背もたれが低い方が身体の自由度が増し、使用上便利で圧迫感もないが、くつろぐ時は、座部が傾斜し背もたれも傾斜して高いほうが充分にくつろぐことができる。又食事用の椅子や勉強用の椅子の場合，ダイニングテーブルや机で使用するために休息用の椅子として使用する場合は移動させることが必要となる。そこで本発明人は、上記問題点を解消するために、実公平７−５０９８４「座の高さが変化するリクライニング椅子」を出願した。しかし前記リクライニング椅子では全体として嵩張り，重量が大きく移動に手間がかかるとゆう問題点と部品点数が多く生産性が悪く高価になる問題点があった。
【０００４】
本発明では食事用の椅子や勉強用の椅子と休息用の椅子を兼用できる機能を背もたれの高さとリクライニングの必要不可欠な機能を重視した低価で軽量な椅子を提供することを目的としている。
【０００５】
【課題を解決するための手段】
上記目的を達成するために、本発明の椅子においては、背もたれ兼用座部の下方に座部が位置し、背もたれ兼用座部の前端に座部の上部が連結枢支され、前記座部の中間と脚部とが連結枢支されるとともに、上記背もたれ兼用座部の中間部に背もたれ兼用座部支持連結具の前端が連結枢支され後端は脚部後部と連結枢支されるとともに、背もたれ部の下部と背もたれ兼用座部の後端が連結枢支され該枢支位置より下部には背もたれ支持連結具の後端が連結枢支され、前端は背もたれ兼用座部支持連結具の背もたれ兼用座部と背もたれ兼用座部支持連結具の枢支位置より後方に位置する部分と連結枢支される機構として、上記座部を上方に回転させることで座部を座部として使用できる位置に傾斜させながら、背もたれ兼用座部と背もたれ部を略延長方向に形成させると同時に傾斜するものである。
【０００６】
上記の多用途椅子の背もたれ部と背もたれ支持連結具を取り除いた腰掛け椅子の状態から背もたれ兼用座部を背もたれにすることができる多用途椅子。
【０００７】
座部と背もたれ兼用座部と背もたれ部を一体型とするため簡単な操作で全体を変化させることができる。
【０００８】
構造が簡単で部品点数ガ少ないため故障が少なく椅子全体としてコンパクトで軽量化できる。
【０００９】
【発明の実施の形態】
発明の実施の形態を実施例にもとづき図面を参照にして説明する。
図１は側面図で、座部１の上端に背もたれ兼用座部２の前端が連結枢支される。背もたれ兼用座部２の中間部には脚部後部と後端が連結枢支された背もたれ兼用座部支持連結具の前端が連結枢支されるとともに背もたれ兼用座部後端には背もたれ部下部が連結枢支され、該連結枢支位置より下方の背もたれ部下部には前端が背もたれ兼用座部支持連結具４の前部に連結枢支された背もたれ支持連結具５の後端が連結枢支される。図２は側面図で座部を上方に回転させると背もたれ兼用座部と背もたれ部は連動する。図３は座部、背もたれ兼用座部、背もたれ部が延長方向になった状態。図４は座部と背もたれ兼用座部を下げた状態でハイバックチェアとなる。図５は通常の椅子の状態の立体図。図６はハイバックの椅子の状態の立体図。
【００１０】
【発明の効果】
本発明は、以上説明したように構成されているので，以下に記載されるような効果を奏する。
【００１１】
都市部のマンションなどの狭い場所でも、食事用椅子や勉強用椅子と休息用椅子を簡単な操作で兼用できるため狭い場所を広く使用することが出来る。
【００１２】
座部を上方に回転させるだけで全体が連動するので操作が簡単である。
【００１３】
部品点数が少ないため故障も少なく軽量化できる。
【００１４】
通常の椅子の場合背もたれが低く薄くできるため嵩張らず圧迫感がない。
【図面の簡単な説明】
【図１】実施例の側面図である。
【図２】連動して変化する状態。
【図３】連動して変化し延長した状態。
【図４】ハイバックの椅子になった状態。
【図５】図１の立体図である。
【図６】図４の立体図である。
【符号の説明】
１　座部
２　背もたれ兼用座部
３　背もたれ部
４　背もたれ兼用座部支持連結具
５　背もたれ支持連結具
６　脚部
【図１】
2004129807.tif 000003
【図２】
2004129807.tif 000004
【図３】
2004129807.tif 000005
【図４】
2004129807.tif 000006
【図５】
2004129807.tif 000007
【図６】
2004129807.tif 000008
(57)【要約】【課題】コンパクトかつ簡単な構造で、被介護者の腰部を小さな力で持ち上げることができるリフト装置を提供する。【解決手段】回動自在に支持されたドラム１の外周に、被介護者の脚の裏に沿う添当部材２を設け、ドラム１に着脱自在に係止したレバー部材６の操作棒７を押し下げると、ドラム１の回動に伴い添当部材２の一端側が上昇して、被介護者の腰部が持ち上げられるようにする。【選択図】　図１
2004129864.tif 000002
【特許請求の範囲】
【請求項１】
回動自在に支持されたドラム１の外周に、被介護者の脚の裏側に沿う添当部材２を設け、ドラム１に着脱自在に係止したレバー部材６の操作棒７を押し下げると、ドラム１の回動に伴い添当部材２の一端側が上昇するようにした介護用リフト装置。
【請求項２】
前記添当部材２に被介護者の脚を固定するベルト１３を設けたことを特徴とする請求項１に記載の介護用リフト装置。
【請求項３】
前記ドラム１の回動を制限する戻止機構１５を設けたことを特徴とする請求項１又は２に記載の介護用リフト装置。
【発明の詳細な説明】
【０００１】
【発明の属する技術分野】
この発明は、寝たきりの被介護者の腰部を持ち上げる介護用リフト装置に関するものである。
【０００２】
【従来の技術】
例えば、寝たきり老人の介護においては、おむつの交換や床擦れ防止のため、被介護者の腰部を度々持ち上げる必要がある。ところが、吊上式等の大掛かりなリフト装置を備えていない一般家庭では、介護者が被介護者の腰部を直接抱え上げざるを得ず、数人掛かりでおむつを替えなければならないこともある。
【０００３】
【発明が解決しようとする課題】
しかしながら、このような作業は、介護者にとって大きな負担となり、介護者自身が腰を痛めたりする恐れもある。
【０００４】
そこで、この発明は、コンパクトかつ簡単な構造で、被介護者の腰部を小さな力で持ち上げることができるリフト装置を提供しようとするものである。
【０００５】
【課題を解決するための手段】
上記課題を解決するため、この発明に係るリフト装置は、回動自在に支持されたドラムの外周に、被介護者の脚の裏側に沿う添当部材を設け、ドラムに着脱自在に係止したレバー部材の操作棒を押し下げると、ドラムの回動に伴い添当部材の一端側が上昇して、被介護者の腰部が持ち上げられるようにしたのである。
【０００６】
また、前記添当部材に被介護者の脚を固定するベルトを設け、被介護者の体がドラムから離れる方向に移動しないようにしたのである。
【０００７】
また、前記ドラムの回動を戻り止めする戻止機構を設け、被介護者の腰部を持ち上げた状態で保持できるようにしたのである。
【０００８】
【発明の実施の形態】
以下、この発明の実施の形態を添付図面に基づいて説明する。
【０００９】
この介護用リフト装置は、図１に示すように、円筒形のドラム１の外周に、被介護者の両脚の裏側に沿う２本の添当部材２を設け、ドラム１の両端から突出する軸３を台座４の軸受部５に嵌め入れて回動自在に支持し、ドラム１にレバー部材６を係脱できるようにした構成とされている。
【００１０】
レバー部材６は、操作棒７の先端に湾曲板８を取り付けたものとされ、湾曲板８の先端部が屈曲して引掛片９が形成されている。ドラム１の２本の添当部材２の間の部分には湾曲板８のセット部１０が設けられ、セット部１０には引掛片９に係合する係止片１１及び位置決め板１２が設けられている。
【００１１】
添当部材２は、ドラム１の両側へ延び、その一方の部分には、被介護者の脚を固定するベルト１３が設けられている。このベルト１３は、一般にマジックテープ（登録商標）と呼ばれる面ファスナで脚を締付保持できるようになっている。また、台座４には、一方へ延びる２本のふとん押さえ１４が設けられている。
【００１２】
そのほか、このリフト装置には、ドラム１の回動を制限する戻止機構１５が設けられている。この戻止機構１５は、台座４から立ち上がるばね部材１６と、ドラム１の表面に形成した凹凸部１７とから成り、その係脱で機能する。
【００１３】
上記リフト装置を使用するには、図２に示すように、ふとん押さえ１４を被介護者の脇に沿わせるようにして、台座４をふとんの上に置き、添当部材２に被介護者の脚を載せ、被介護者の脚をベルト１３の巻付により固定する。
【００１４】
そして、レバー部材６の湾曲板８をドラム１のセット部１０に嵌めて、引掛片９を係止片１１に係合させ、図３に示すように、操作棒７を押し下げると、ドラム１の回動に伴い添当部材２の一端側が上昇して、比較的軽い力で被介護者の腰部が持ち上げられる。
【００１５】
このとき、被介護者の脚がベルト１３で固定されているので、被介護者の体がドラム１から離れる方向に移動することがなく、被介護者の腰部を確実に持ち上げることができる。
【００１６】
そして、ドラム１の回動を戻り止めする戻止機構１５により、被介護者の腰部を持ち上げた状態で保持でき、おむつの交換等を容易に行うことができるほか、床擦れを防止することもできる。
【００１７】
なお、図４に示すように、ドラム１にバイブレータ１８を内蔵しておくと、ドラム１をマッサージ器として使用することができる。この場合、ドラム１を台座４から取り外して使用してもよい。
【００１８】
【発明の効果】
以上のように、この発明に係る介護用リフト装置は、ドラムをレバー部材の押し下げに伴い回動させて、被介護者の腰部を持ち上げる簡単な構造としたので、家庭での介護に適したコンパクトなものとすることができ、日常のおむつ交換等の介護作業の負担を軽減することができる。
【図面の簡単な説明】
【図１】この発明に係る介護用リフト装置を示す斜視図
【図２】同上の使用時の腰上げ前の状態を示す側面図
【図３】同上の使用時の腰上状態を示す側面図
【図４】バイブレータを内蔵したドラムの概略図
【符号の説明】
１　ドラム
２　添当部材
３　軸
４　台座
５　軸受部
６　レバー部材
７　操作棒
８　湾曲板
９　引掛片
１０　セット部
１１　係止片
１２　位置決め板
１３　ベルト
１４　ふとん押さえ
１５　戻止機構
【図１】
2004129864.tif 000003
【図２】
2004129864.tif 000004
【図３】
2004129864.tif 000005
【図４】
2004129864.tif 000006
(57)【要約】【課題】タバコの火による子供などへの事故、野外で喫煙したい方、風や雨などの中喫煙したい方へ、いつでもどこでも喫煙できる野外喫煙箱を提供する。【解決手段】火のついたタバコを筒（１）の中に入れ、キャップ（３）をしめ、モーターでファン（２）を回し、タバコの火が消えないようにし、タバコの残量は外側のシール（４）にて、確認できる喫煙箱を特徴とする。【選択図】　　　　図１
2004129590.tif 000002
【特許請求の範囲】
【請求項１】
箱の中に筒と電動ファンを設けて、火が消えないようにした喫煙できる箱。
【発明の詳細な説明】
【０００１】
【発明の属する技術分野】
この発明は、箱の中に電動ファンを設けて、喫煙できる箱に関するものである。
【０００２】
【従来の技術】
従来、タバコと灰皿は別々になっていた。
【０００３】
【発明が解決しようとする課題】
これはつぎのような欠点があった。従来タバコと灰皿は別々であって、持ち歩くのは不便であり、なおかつ喫煙場所が少なくなり、そのまま捨てる者が多かった。
本発明は、以上のような欠点を無くすためになされたものである。
【０００４】
【課題を解決するための手段】
箱の一端に吸い口を設け、また中に電動ファンを設け、側面には残量のわかるシールを設ける。
【０００５】
【発明の実施の形態】
以下、本発明の実施の形態について説明する。
箱の片側に金属製の筒（１）を設ける。また、片側に電動ファンを設ける。筒（１）の先に吸い口のついたキャップ（３）をつける。側面に温度で変化する残量シール（４）をつける。
本発明は、以下のような構造でこれを使用する時は、灰皿と一体になった箱に火のついたタバコを入れて喫煙する。
【０００６】
【発明の効果】
タバコと灰皿が一体になっているので、灰皿を探す手間が省け、なおかつ、ポイ捨てが防げる。外に火がでないので安全性が高まる。
【図面の簡単な説明】
【図１】断面図
【図２】側面図
【符号の説明】
１　筒
２　電動ファン
３　キャップ
４　残量シール
【図１】
2004129590.tif 000003
【図２】
2004129590.tif 000004
(57)【要約】【課題】培養後、培地を分離除去する必要がなく、そのまま食用担子菌類と一体的に食品化することができる培地の提供。【解決手段】発芽玄米の生育阻止処理物から成る食用担子菌類用培地。【選択図】　なし【特許請求の範囲】
【請求項１】
発芽玄米の生育阻止処理物から成る食用担子菌類用培地。
【請求項２】
発芽玄米が、玄米を温度５〜３５℃の水に浸漬して発芽させたものである請求項１記載の食用担子菌類用培地。
【請求項３】
発芽玄米が、０．５〜５ｍｍ発芽したものである請求項１又は２記載の食用担子菌類用培地。
【請求項４】
生育阻止処理物が、加熱による生育処理物である請求項１〜３の何れか１項記載の食用担子菌類用培地。
【請求項５】
請求項１〜５の何れか１項記載の培地に、食用担子菌類の菌糸を接種して培養した後の乾燥物から成る機能性食品。
【発明の詳細な説明】
【０００１】
【発明の属する技術分野】
本発明は食用担子菌類用培地及び機能性食品に関する。
【０００２】
【従来の技術】
従来、霊芝や姫マツタケ等の食用担子菌類は、一般に木粉や米糠等を培地として培養されていた（例えば、非特許文献１参照）。
【０００３】
然しながら、従来の如く木粉や米糠を培地として食用担子菌類を培養して食品とする場合には、培養後、当該木粉や米糠等の培地を分離除去しなければならず、手間と時間を要するその煩瑣な作業は、食用担子菌類の生産において大きな問題となっていた。
【０００４】
【非特許文献１】
「菌類研究法」共立出版株式会社、昭和５８年６月１日、Ｐ４０４
【０００５】
【発明が解決しようとする課題】
本発明は斯かる従来の問題に鑑みてなされたもので、培養後、培地を分離除去する必要がなく、そのまま食用担子菌類と一体的に食品化することができる培地を提供することを目的とする。
【０００６】
而して、本発明者は上記目的を達成すべく、種々研究を重ねた結果、一旦発芽した玄米を、その後生育しないように処理したものを培地として用いれば、食用担子菌類の生育適性に優れると共に、発芽玄米は可食性を有するため、培養後培地たる発芽玄米を殊更分離除去することなくそのまま食品化でき、しかも当該得られた食品には、中性脂肪抑制作用・腎機能活性化作用・肝機能改善作用等を有するγ−アミノ酪酸が多量に含まれていることを見い出し、本発明を完成した。
【０００７】
【課題を解決するための手段】
すなわち、本発明食用担子菌類用培地は、発芽玄米の生育阻止処理物から成る。
【０００８】
また、本発明機能性食品は、発芽玄米の生育阻止処理物に、食用担子菌類の菌糸を接種して培養した後の乾燥物から成る。
【０００９】
【発明の実施の形態】
本発明における発芽玄米は、玄米を発芽させたものであれば、具体的な発芽方法はその如何を問わないが、玄米を温度５〜３５℃、特に１０〜３５℃の水に浸漬して発芽せしめるのが発芽効率に優れ望ましい。尚、この場合、化学農薬は当該水に添加しないのが望ましい。
【００１０】
発芽玄米の発芽の程度は、０．５〜５ｍｍ程度発芽したものが、γ−アミノ酪酸を多量に含有した機能性食品を得る上で有利である。
【００１１】
発芽玄米の生育阻止処理は、一旦発芽した玄米がそれ以上発芽しないようにするためのもので、具体的な処理方法はその如何を問わないが、薬品によることなく、加熱による処理が望ましい。斯かる加熱処理方法としては、例えば常圧下１００℃の空気又は蒸気で５〜１０時間程度の加熱処理、あるいは加圧下１２０℃の空気又は蒸気で２０〜３０分間程度の加熱処理が挙げられる。因に、斯かる加熱処理により、発芽玄米は同時に殺菌処理されることになる。
【００１２】
斯かる加熱による生育阻止処理後、無菌状態のまま放置冷却することにより、本発明培地が得られる。
【００１３】
また、斯かる培地に、霊芝や姫マツタケ等の食用担子菌類の菌糸を接種して培養するが、当該接種〜培養は、１８〜３５℃で７〜４５日間行なうのが好ましい。
【００１４】
斯かる培養後、培地ともども全体を乾燥し、更に必要に応じて粉砕することにより、本発明機能性食品が得られる。
【００１５】
【実施例】
以下実施例を挙げて本発明を更に説明する。
【００１６】
実施例
玄米を化学農薬を添加しない水（温度３０℃）に浸漬して発芽させた。次いで約５ｍｍ発芽したときに、常圧下１００℃の空気で７時間加熱処理して、玄米の発育阻止及び殺菌処理を行なった。次いで、無菌状態のまま放置冷却して本発明培地を得た。
次いで、得られた培地に、姫マツタケの菌糸を接種し、約３０℃で１４日間培養した。次いで得られた姫マツタケを培地ともども乾燥、粉砕して本発明機能性食品を得た。
【００１７】
【発明の効果】
本発明培地を用いれば、食用担子菌類培養後、培地を分離除去する必要がないので、極めて効率的に食用担子菌類を食品として提供することができる。しかも、当該食品にはγ−アミノ酪酸が特に多量に含まれており、中性脂肪抑制作用・腎機能活性化作用・肝機能改善作用を有する食品として有用な食品である。
(57)【要約】【課題】従来の土壌の助材、代替材は、脆弱、高価であり、任意の形状が作りづらく、またこの材料の採掘の為、自然環境の破壊等の問題があった。一方では多量の産業廃棄物や建築、土木の廃材が生じており、これも環境面から由々しき問題となっている。【解決手段】長期の使用に耐えうる土壌の助材、代替材を産業廃棄物や建築、土木の廃材を使用することにより安価に生産するものである。その方法として、窯業的手法により生産されたフェライトを含むセラミックス及びコンクリート、瓦等の建築土木廃材を適度の大きさに粉砕し、これに廃ガラスの粉末をコーティング、或いは結合材として使用し透水性、通気性を有する固形物を作成する方法。【選択図】　　　　図１
2004129552.tif 000002
【特許請求の範囲】
【請求項１】
フエライト及びその他の窯業的手法を用いて生産された物、或いはその生産過程において不良とされたセラミックスの粉砕粒、又は片をガラスにより、コーティング又は結合材として、又はコーティグ材と結合材を兼ね備えた固形物で透水性、通気性を有する材料の製造方法。
【請求項２】
コンクリート及び煉瓦、ガラス、金属の粉砕粒又は片、砕石，小石、砂をガラスによりコーティング、又は結合材として、又はコーティング材と結合材を兼ね備えた固形物で透水性、通気性を有する材料の製造方法。
【発明の詳細な説明】
【０００１】
【発明の属する技術分野】
本発明は農業、園芸、緑化、及び建築、土木、の分野に属する。
【０００２】
【従来の技術】
従来、農業、園芸、緑化等に保水、透水を目的とした土壌の助材、代替材として天然の土、石（軽石、赤玉土等）が又人工的に生産された発砲煉瓦、発泡ガラス、発泡練り石、等が使用されている。しかしこれらはほとんどの物が脆弱さの為、長年の使用にはその効力は薄れ、又価格としても高価である。
【０００３】
【発明が解決しようとする課題】
保水、透水を目的として使用される助材、代替材としての天然の石、土では長期の使用により、その効力は減少する。又任意の形状、大きさにする事も難しい。これらの材料はその量において、有限の物であり、産地では掘り出しにより自然の崩壊にも繋がる。人工的に生産される発泡煉瓦等においても同様であり、価格的にも高価である。これらの問題を解決する為、廃棄物を用いて長期の使用に耐えうる材料で任意の形状を低コストで生産する。
【０００４】
【課題を解決するための手段】
本発明においては、フエライトを含むセラミックスがその生産過程において不良とされた物、或いはその役目を終え、廃棄された物を任意の大きさに粉砕し、これらと廃ガラスの粉砕粉を混合してつくる。ガラス粉の量に応じた透水量、通気量をゆうし、任意のコーティグと形状と大きさを持つ固形物を作ることを特徴としている。この方法により得られた固形物は、農業、園芸用の土に埋設する事により水はけを調整し、又表面に置く事に依り保水性を上げ、土崩れを防ぐ。その他に擬木などの園芸、土木用の装飾小物としての応用も考えられる。
【０００５】
【発明の実施の形態】
フエライト又はその他のセラミックスの不良を適当な大きさに粉砕し、作成された粒、片とガラス粉をそれぞれ適量に計量し、これに水を加え、これらを攪拌、混合を行った後目的の形状、大きさに作られた焼成ケースに充填、又は焼成板の上で形を作り、そのまま焼結を行うと焼き縮み、或いは膨張する事なく原寸のまま固形化される。外観を図１に示す。図１中の（イ）、（ロ）、（ハ）は固形物の代表的な形状を示す。
【０００６】
【発明の効果】
昨今、地球の砂漠化を阻止するための努力が行われ、一方では廃棄物の有効利用が叫ばれている。本特許はこの二つの課題を低いコストに依り結びつけようとしているものである。すなわち、本来廃棄物とされる物を廃棄物（廃ガラス）を用いて低コストで地球の緑化の一翼を担おうとしている。
【図面の簡単な説明】
【図１】
本発明の代表的な形状を表す。
（イ）円盤
（ロ）角柱
（ハ）リング
【図１】
2004129552.tif 000003
(57)【要約】【課題】果肉食感を有し、かつ、スムージーの様な微細氷が分散したような粒々の食感が得られる飲料を提供する。【解決手段】飲料中、脱アシル型ジェランガム０．０３〜０．１５重量％、ＬＭペクチン０．１〜１．０重量％、可溶性カルシウム塩０．１〜０．５重量％及びキサンタンガム０．０１〜０．０５重量％を含む加熱溶解した脱アシル型ジェランガム及びキサンタンガム溶液に、可溶性カルシウム塩を添加した後、攪拌しながらＬＭペクチン溶液を添加し、得られたゲルをマイクロゲル化することにより飲料を製造する。【選択図】なし【特許請求の範囲】
【請求項１】
飲料中、脱アシル型ジェランガム０．０３〜０．１５重量％、ＬＭペクチン０．１〜１．０重量％、可溶性カルシウム塩０．１〜０．５重量％及びキサンタンガム０．０１〜０．０５重量％を含むことを特徴とする飲料。
【請求項２】
加熱溶解した脱アシル型ジェランガム及びキサンタンガム溶液に、可溶性カルシウム塩を添加した後、攪拌しながらＬＭペクチン溶液を添加し、得られたゲルをマイクロゲル化することを特徴とする、請求項１に記載の飲料の製造方法。
【発明の詳細な説明】
【０００１】
【発明の属する技術分野】
本発明は、飲料及びその製造方法に関する。詳細には、果肉食感を有し、かつ、スムージーの様な微細氷が分散したような粒々の食感が得られる飲料及びその製造方法に関する。
【０００２】
【従来の技術】
従来から、果肉食感のような粒々感が付与された飲料が種々検討されている。例えば、アルギン酸塩を用いて、内腔に果汁又は清水を充したアルギン酸カルシウム材小粒状体からなる果汁用顆粒を製造し、それを使用した果汁飲料（特許文献１）、脱アシル型ジェランガムとＬＭペクチンとを併用したパルプ様物質を安定に分散した分散安定化飲料（特許文献２）などがある。
しかし、これらは別途粒状物を製造する必要があったり、また、パルプ様物質を別途加える必要があったりしていた。
【０００３】
【特許文献１】特公昭６３−４５７７４号公報
【特許文献２】特開平１０−１７９１０３号公報
【発明が解決しようとする課題】
本発明は、別途粒状物やパルプ様物質を添加する必要がなく、果肉食感のような粒々感を付与された飲料を提供することを目的とする。
【０００４】
【課題を解決するための手段】
本発明者らは、上記課題に鑑み、鋭意研究を重ねていたところ、脱アシル型ジェランガム０．０３〜０．１５重量％、ＬＭペクチン０．１〜１．０重量％、可溶性カルシウム塩０．１〜０．５重量％及びキサンタンガム０．０１〜０．０３重量％を含むことにより、別途粒状物やパルプ様物質を添加する必要がなく、果肉食感のような粒々感が付与された飲料となることを見いだした。
【０００５】
更に、加熱溶解した脱アシル型ジェランガム及びキサンタンガム溶液に、可溶性カルシウム塩を添加した後、攪拌しながらＬＭペクチン溶液を添加し、得られたゲルをマイクロゲル化することにより、果肉食感のような粒々食感に加えて、微細氷が配合された飲料である、スムージーのような食感が得られる飲料となった。
本発明は、上記態様の飲料及びその製造方法に関する。
【０００６】
【発明の実施の形態】
本発明の飲料は、飲料中、脱アシル型ジェランガム０．０３〜０．１５重量％、好ましくは、０．０５〜０．１重量％、ＬＭペクチン０．１〜１．０重量％、可溶性カルシウム塩０．１〜０．５重量％及びキサンタンガム０．０１〜０．０５重量％を含むことを特徴とする。
【０００７】
本発明で使用する脱アシル型ジェランガム、ＬＭペクチン、キサンタンガムは市販のものであれば足り、特に制限はない。例えば、脱アシル型ジェランガムは、三栄源エフ・エフ・アイ株式会社製のゲルアップ［商標］Ｊ−３２００、ＬＭペクチンは、ビストップ［商標］Ｄ−１３８２，キサンタンガムは、ビストップ［商標］Ｄ−３０００−Ｃ等を挙げることができる。
【０００８】
本発明で使用する可溶性カルシウム塩としては、有機酸塩或いは無機酸塩の何れでもよく、例えば、乳酸カルシウム、グルコン酸カルシウム、フマル酸カルシウム、クエン酸カルシウム、コハク酸カルシウム、酢酸カルシウム等の有機酸塩、塩化カルシウム等の無機酸塩を好ましくあげることができ、これらより１種又は２種以上を選択して使用することが出来る。好ましくは乳酸カルシウムである。
【０００９】
本発明の飲料は、前記配合であることを特徴とするが、加熱溶解した脱アシル型ジェランガム及びキサンタンガム溶液に、可溶性カルシウム塩を添加した後、攪拌しながらＬＭペクチン溶液を添加し、得られたゲルをマイクロゲル化する方法により製造することが好ましい。
【００１０】
製造方法を詳述する。予め、水に脱アシル型ジェランガム、キサンタンガム及び必要に応じて糖類等の他の原料を溶解する。溶解する際、加熱攪拌溶解（例えば、７０〜９０℃、５〜１５分間）する。この脱アシル型ジェランガム及びキサンタンガムを含有する溶液に、可溶性カルシウム塩及び必要に応じ有機酸等の酸味料、果汁、色素等を攪拌しながら添加し、一定時間（例えば、３〜１０分間）攪拌する。その溶液を攪拌しながら、水にＬＭペクチンを添加し溶液を加熱攪拌溶解（例えば、７０〜９０℃、５〜１５分間）したペクチン溶液を添加する。得られた溶液を１０〜３０℃まで冷却し、ゲル化したら、攪拌機にて５００〜２０００ｒｐｍ、３〜２０分間程度の攪拌を行い、マイクロゲル化する。マイクロゲル化後、容器充填、加熱殺菌を行い、かかる飲料を製造する。
【００１１】
また、本発明にかかる飲料は、必要に応じてｐＨ調整を行うことができる。ｐＨ調整は、果汁（ｐＨ４以下のもの）、クエン酸、酒石酸、リンゴ酸、コハク酸、グルコン酸、アスコルビン酸等の食用酸溶液を１種又は２種以上混合して添加することにより行う。
【００１２】
なお、本発明の効果を奏する限りにおいて、本発明の飲料には、乳成分、その他の糊料、香料、色素、酸化防止剤、日持ち向上剤、保存料等の添加剤を適宜併用することが出来る。
【００１３】
本発明により、別途粒状物、パルプ様物質や微細氷等を添加する必要がなく、果肉食感を有し、かつ、スムージーの様な微細氷が分散したような粒々の食感を有する飲料が得られるようになった。
【００１４】
【実施例】
以下、本発明の内容を以下の実施例、比較例等を用いて具体的に説明するが、本発明はこれらに何ら限定されるものではない。また、特に記載のない限り「部」とは、「重量部」を意味するものとする。文中＊印のものは、三栄源エフ・エフ・アイ株式会社製、文中※印は三栄源エフ・エフ・アイ株式会社の登録商標であることを示す。
【００１５】
実施例１：ストロベリースムージー風飲料
下記処方のうち、５０部の水に果糖ブドウ糖液糖、砂糖、水溶性食物繊維、キサンタンガム、脱アシル型ジェランガムを加え、８０℃１０分間加熱攪拌溶解する。この溶液にクエン酸、果汁、乳酸カルシウム、色素を添加する。本溶液を攪拌しながら、別に１０部の水にＬＭペクチンを加え、８０℃１０分間加熱攪拌溶解したペクチン溶液を、添加する。全量補正し、冷却後、ゲルしたら、プロペラにて１０００ｒｐｍ５分間攪拌して、マイクロゲル化する。９３℃にて香料を添加し、アルミパウチ充填後、８５℃３０分間加熱殺菌して、ストロベリースムージー風飲料を調製した（ｐＨ３．８）。
【００１６】
出来上がった飲料は、スムージーの様な微細氷が分散したような粒々の食感を有する飲料であった。
【００１７】
2004129596.tif 000002
(57)【要約】【課題】誰でも植物に親しんでもらい、楽しんでもらう事が出来る事。【解決手段】保水性と吸水性が優れている珪素土を植木鉢に使用する事で水管理が一目で確認する事が可能である。水分を含んでいると色が変るし、又乾いてくると白ぽっくなる。受け皿に水を入れてをくと、一定の水分を吸水してくれる為、管理が誰にでも出来簡単である。この事から受け皿に水がある限り植物は枯れる事がなくなる。【特許請求の範囲】
【請求項１】
珪素土を素焼きした植木鉢で、保水性、吸水性が優れている。その特性を植木鉢にした所、珪素土植木鉢１に水受け皿３より水が水調整台２を通り植木鉢全体に浸透する。土も植木鉢をとおして水が浸透　していく。
【請求項２】
珪素土植木鉢の下に水調整台で、少し水が欲しい場合は、水調整台を２本にする。芽だしの時、水が多く欲しい場合は、水調整台を取り外す。このことから、水を思いのまま調整する事が可能である。芽だしから発育まで一つの植木鉢で、楽しむ事ができる。
【請求項３】
珪素土植木鉢で、水を含んでいると色が変り、乾いてくると白っぽくなる。土に水分があるかないか、一目でわかる。この事から植木鉢の水分があるかないか植木鉢の色で判断する事が出来る。
【請求項４】
珪素土植木鉢は、保水性が優れている為、水分がなかなか乾かない。その　　為水もちが良い。散水に時間が掛からず、節水にもなりむだな水を、つかわなくてもよい。真夏でも毎日散水しなくても可能である。水受け皿に水がある限り枯れる事もない。
【請求項５】
珪素土植木鉢は、吸水性が優れている為、下に水がある限り全部吸い上げてしまう。かつ均一に長時間ゆっくりと時間をかけ吸い上げてしまうので、植物には理想的である。ムラなく一定の水分を補給してあげる事が可能で　　ある。
【発明の詳細な説明】
【０００１】
【発明が属する技術分野】
本発明は、水管理が一目で分かりかつ適度に水分を植物に与える事が可能である。毎日水を散水しなくてもよい。
【０００２】
【従来の技術】
どの程度水を散水したらよいか分からないまま、毎日散水している。無駄な水が流れてしまう。どの程度植物に対して水分があればよいか目安がわからない。散水した時は、水浸しで時間が経つと乾いてくる。その為ムラがありつねに一定の水が確保されていない。
【０００３】
【発明が解決しようとする課題】
解決しようとする課題は、土に水分があるかないかを、一目で分かる事。毎日散水しなくても適度の水分が根元に行き渡る事。水調整が出来、水管理が誰にでも出来る事。植物を枯れさせない事が一番大きな課題である。
【０００４】
【課題を解決するための手段】
本発明は、保水性と吸水性が優れている珪素土を植木鉢に使用する事で水　管理が一目で確認する事が可能である。水分を含んでいると色が変るし、又乾いてくると白ぽっくなる。受け皿に水を入れてをくと、一定の水分を吸水してくれる為、管理が誰にでも出来簡単である。この事から受け皿に水がある限り植物は枯れる事がなくなる。
【０００５】
【発明の実施の形態】
発芽から発育まで誰でも水管理が可能となる。水もちが良い為安心である。受け皿に水がある限り枯れる事もなく、長時間水を補給する事が実現する。芽だしも一定した水分を補給する事が実現する。
【０００６】
【実施例】
図１は、本発明の図である。
【０００７】
【発明の効果】
以上説明したように、誰にでも発芽から発育まで植物を育てることが可能となり、毎日散水しなくてもよい。一目で水分があるかないかが分かる。水やりが受け皿に入れるだけでよい為、誰にでも出来簡単である。植木鉢　　が乾いてくると、白っぽくなり乾いている事も分かる。上から散水する事がいらない為、回りが水びたしにならない。常に適度な水分を吸い上げる為、節水にもなる。
【図面の簡単な説明】
【図１】珪素土植木鉢の実施方法を示した説明図である。
【符号の説明】
１　珪素土植木鉢
２　水調整台
３　水受け皿
【図１】
2004129565.tif 000002
(57)【要約】【課題】竿部材を用いて構成される釣具において、所有者の名前等の記載事項が消え難く、且つ、視覚的に目立ち、また、記載事項に変更あるいは消去する必要が生じた際に、容易に記載事項を変更あるいは消去することが可能な釣具を提供するものである。【解決手段】竿部材を用いて構成される釣具の竿部材に装着される栓において、円周面に、文字・記号・数字・マーク等で構成される記載事項を、着色塗料等を用いて記載するか、もしくは記載事項を記載したラベルを貼付して栓の一部分もしくは全体の表面を透明樹脂で覆うか、もしくは刻印あるいは彫刻あるいは酸化皮膜といった強固な記載手段を用いて記載事項が記載された文字盤を栓に組み込む。【選択図】　　　　図１
2004129537.tif 000002
【特許請求の範囲】
【請求項１】
円周面に文字・記号・数字・マーク等を配置することを特徴とする釣具の竿部材の栓。
【請求項２】
栓本体と文字・記号・数字・マーク等を配置した文字盤とで構成され、文字盤を組替え可能とする釣具の竿部材の栓。
【発明の詳細な説明】
【０００１】
【発明が属する技術分野】
本発明は、釣具である「釣り竿」「タモ網の竿」等の竿部材の口部分に装着される口栓、あるいは手元側の末端に装着される竿尻栓に関するものである。
【０００２】
【従来の技術】
従来、「釣り竿」「タモ網の竿」等の竿部材を用いて構成される釣具において、所有者の名前等の記載事項を記載する際には、竿部材に直接、着色塗料等を用いて記載するか、もしくは記載事項を記載したラベルを貼付していた。
【０００３】
しかし、竿部材は道具として使用する際に、頻繁に摩擦が繰り返される他、水に晒されることが多いために、着色塗料で記載したり、もしくはラベルを貼付しただけでは「著しい磨耗」あるいは「剥がれ」を生じて、記載事項の部分的あるいは全体が早期に消えてしまい、記載事項を読み取ることができなくなった。
【０００４】
また、記載箇所を透明樹脂で覆う方法もあったが、記載箇所を透明樹脂で覆ってしまうと、記載事項を変更あるいは消去する際には透明樹脂を除去しなければならず、透明樹脂を除去する際に竿部材に損傷を与え、竿部材の強度を低下させる危険性が生じることから、記載事項を変更あるいは消去することが困難になった。
【０００５】
また、竿部材には製造メーカー名や製品名、製品の仕様等が既に配置されており、所有者の名前等を記載しても目立たなかった。
【０００６】
【発明が解決しようとする課題】
解決しようとする問題点は、「釣り竿」「タモ網の竿」等の竿部材を用いて構成される釣具において、記載事項が容易に消えてしまうこと、また、強固に保護し過ぎると記載事項の変更あるいは消去が困難になること、及び記載事項が目立たないことである。
【０００７】
【課題を解決するための手段】
本発明は、釣具の竿部材に装着される栓の円周面に文字・記号・数字・マーク等で構成される記載事項を配置することを最も主要な特徴とする。
【０００８】
【発明の実施の形態】
釣具の竿部材に装着される栓の円周面に記載事項を配置することにより、視覚的に記載事項を目立たせることが可能となる他、刻印あるいは彫刻あるいは酸化皮膜といった強固で消え難くい記載手段を実施することを可能とし、且つ、記載事項に変更あるいは消去の必要が生じた際、容易に記載事項の変更あるいは消去を可能とすることを実現した。
【０００９】
【実施例１】
本発明の実施例１を図１に沿って説明すると、釣具１の竿部材２の手元側の末端に装着される竿尻栓３の円周面に記載事項を着色塗料等を用いて記載するか、もしくは記載事項が記載されたラベル４を貼付し、竿尻栓３の一部分あるいは全体を透明樹脂で覆うものである。
【００１０】
記載事項に変更あるいは消去の必要が生じた際には、従来の技術のとおり透明樹脂と着色塗料等あるいはラベル４を除去しなければならないが、竿尻栓３の記載箇所は、竿部材２の強度に直接的な影響は無いことから、容易に且つ安全に透明樹脂を除去することが可能である。よって、記載事項の変更あるいは消去を容易にするものである。
【００１１】
また、記載事項の変更あるいは消去を要しない場合には、竿尻栓３の円周面に直接、刻印あるいは彫刻あるいは酸化皮膜によって記載するものである。
【００１２】
【実施例２】
本発明の実施例２を図２に沿って説明すると、竿尻栓３に記載事項を記載した文字盤５が組み込まれており、文字盤５を組替えることによって記載事項の変更あるいは消去を可能とするものである。
【００１３】
竿尻栓３に貼付されるラベル４あるいは組み込まれる文字盤５に記載される文字・記号・数字・マーク等の記載事項は、刻印あるいは彫刻あるいは酸化皮膜あるいは塗料あるいはこれらを併用して記載される。
【発明の効果】
【００１４】
釣具の竿部材に装着される栓に記載事項を記載することにより、記載事項を視覚的に目立たせることが可能となった。
【００１５】
また、刻印あるいは彫刻あるいは酸化皮膜といった強固な記載手段を用いて記載することが可能となり、記載事項が容易に消えてしまうことは無くなった。
【００１６】
また、透明樹脂で覆われた記載事項を変更あるいは消去するにあたり、透明樹脂を除去する場合であっても、栓の表面であれば竿部材の強度に影響が無い部分であり、仮に削りすぎた場合であっても竿部材の強度を低下させる危険性は無いことから、安全に且つ容易に記載事項を変更あるいは消去することが可能となった。
【００１７】
さらに、実施例２の竿尻栓においては、文字盤を組替えることで容易に記載事項を変更あるいは消去することが可能となった。
【図面の簡単な説明】
【図１】実施例１の竿尻栓の実施例を示す正面図であり、破線の部分には文字・記号・数字・マーク等が記載される。
【図２】実施例２の竿尻栓を示す正面図であり、破線の部分には文字・記号・数字・マーク等が記載される。
【図３】実施例２の竿尻栓のＡ−Ａ断面図。
【図４】実施例２の竿尻栓のＢ−Ｂ断面図。
【符号の説明】
１　　釣具
２　　竿部材
３　　竿尻栓
４　　ラベル
５　　文字盤
６　　ゴム板
７　　取り付けネジ部
【図１】
2004129537.tif 000003
【図２】
2004129537.tif 000004
【図３】
2004129537.tif 000005
【図４】
2004129537.tif 000006
(57)【要約】【課題】ボール投球の際に、手がボール保持穴及びボール表面と接する部分に自由自在の伸縮性と大きな摩擦力を与えることにより、ボールに対するグリップ力・引っ掛かり性を増幅してコントロール技術を常に一定のハイレベルに維持・制御できるようにする。【解決手段】合成繊維編物生地１の表面に合成樹脂膜２をコーティングし、裏面には糊材３を塗布するとともに剥離紙４を添着したボーリング競技用テーピングテープを確保する。【選択図】　図１
2004129794.tif 000002
【特許請求の範囲】
【請求項１】
合成繊維編物生地（１）の表面に合成樹脂膜（２）をコーティングし、裏面には糊材（３）を塗布するとともに剥離紙（４）を添着したことを特徴とするボーリング競技用テーピングテープ。
【請求項２】
合成樹脂膜（２）がシリコーン又はポリウレタンである請求項１記載のボーリング競技用テーピングテープ。
【発明の詳細な説明】
【０００１】
【発明の属する技術分野】
本発明はボーリング競技用テーピングテープに関し、更に詳細には、手の五指や掌に巻き付けたり添着して投球の際にボールに対するグリップ力を増幅することを確保するボーリング競技用テーピングテープに係わる。
【０００２】
【従来の技術】
従来、テーピングテープとしては綿編物生地の裏面に糊材を塗布し、かつ、該糊材塗布面に剥離紙を添着してなるものが知られている。
【０００３】
そして、このテーピングテープも所望する適宜な大きさに切り取り、剥離紙を剥がして親指・中指・薬指に巻き付けて使用に供している。
【０００４】
【発明が解決しようとする課題】
前記従来技術によるテーピングテープは、本来、ボールに穿った三つのボール保持穴と前記３本の指との摩擦によって生じた擦り傷の悪化を防ぐための応急措置として絆創膏代わりに該傷口に使用されているものであり、これを単にこのような擦り傷等を受けないよう予め前記３本の指に適用しているに過ぎない。
【０００５】
従って、前記従来のテーピングテープの構成では三つのボール保持穴及びボール表面に対するグリップ力・引っ掛け性・摩擦力等は全く考慮されておらず、これを指に巻き付けて使用することは逆に滑りやスリップ性を増し、現在のボーリング競技における極めて微妙なボールコントロール技術に対応できないものとなっている。
【０００６】
また、伸縮性が一方向のみに機能するだけで巻き付けに自在性がなく、特に関節部に対しての使用は不適である。
【０００７】
そこで、本発明者は前記従来技術の問題点に鑑みて手がボール保持穴及びボール表面に対して接する部分の摩擦力を大きくすることにより、ボールに対するグリップ力・引っ掛かり性を増幅し、かつ、あらゆる方向に対しても伸縮性を機能させてコントロール技術を常に一定のハイレベルにすることを保全したテーピングテープを開発するに至った。
【０００８】
【課題を解決するための手段】
而して、上記の問題点を改善すべくなした本発明の要旨は、合成繊維編物生地の表面に合成樹脂膜をコーティングし、裏面には糊材を塗布するとともに該糊材塗布面に剥離紙を添着したことを特徴とするボーリング競技用テーピングテープにある。
【０００９】
本発明によると合成繊維編物生地は高分子化合物から紡糸した繊維を更に編物としたことと相俟って、絹に似た光沢性を有し頗る伸縮性に富み、しかも、軽くて強い性能を有する。
【００１０】
また、合成樹脂膜は高分子化合物重合体であって、耐熱性が大きく電気を絶縁し、かつ、水をよくはじく性状を呈する。
【００１１】
本発明によるテーピングテープは、前述の構成によるシート状物を一定幅・一定長に切断し、これをロール巻きにして提供される。そして、所望する形状・大きさ等に予め切り取り、剥離紙を剥がして糊材面を五指や掌に巻き付けたり添着する。このとき、前記テーピングテープは伸縮率の高いことと糊材の接着力とが相俟って、五指や掌の外観・形状に沿って確実に固定できる。
【００１２】
そして、使用する際はボール保持穴には親指・中指・薬指がそれぞれ相応し、人差し指・小指・掌はボール表面にそれぞれ相応して接することになる。
【００１３】
本発明によるテーピングテープはその構成及び機能からして五指及び掌の一部又は全部に適用できるものである。
【００１４】
一般に、ボーリング用ボールはウレタン樹脂で製されている。従って、本テーピングテープを親指・中指・薬指に使用した場合には、相応する各々のボール保持穴に対して摩擦係数の大なる合成樹脂膜が強く接しグリップ力が強くなり、また、人差し指・小指・掌に使用した場合には相応するボール表面に対しても同様に引っ掛かり性が強く働く。
【００１５】
要するに、本発明に係るテーピングテープは手の何れの部分に使用してもボール保持穴及びボール表面との間に大きな摩擦力が発生し、滑り抵抗が生ずる。
従って、ボール保持穴に相応する指とボール表面に相応する指や掌にそれぞれ単独に使用することも、或いはこれらの部分に同時併用することもできグリップ力や引っ掛かり性の強さとのバランス調整ができる。
このことは結局、ボールコントロール技術を常に一定のハイレベルに維持するとともに、ボール回転数・回転力を一層高め、ピン破壊力・ピンアクションを大きくすることができる。
【００１６】
【発明の実施の形態】
次に、本発明の実施形態について図面を参照しつつ説明する。
図１は本発明の一実施態様を示す断面図である。なお、符号１は合成繊維編物生地、２は合成樹脂膜、３は糊材、４は剥離紙である。
【００１７】
本発明のテーピングテープは合成繊維編物生地１としてナイロンポリウレタンを、また、糊材３はアクリル系合成ゴムをそれぞれ適用した。
【００１８】
そして、合成樹脂膜２はシリコーンとポリウレタンの２種を各々適用してコーティングして製したところ、前者の方がより強いグリップ力・引っ掛かり性を得た。
【００１９】
【発明の効果】
本発明によると、グリップ力・引っ掛かり性が極めて強くボール回転数・ボール回転力・ボール速度を高められピン破壊力・ピンアクションが大きくなり、常にハイレベルなボールコントロールの維持・制御に役立つ。
【００２０】
また、あらゆる方向に伸縮性が機能するので、五指や掌の形状に相応した巻き付け・添着が正確にでき、使用中においても関節等の動作に伴って自由自在に伸縮する。なお、摩擦によって生ずる擦り傷の予防としても適用できる。
【００２１】
さらに、耐摩擦性・耐絶縁性・耐撥水性・耐熱性に優れて強く、かつ、光沢性に富む。
【図面の簡単な説明】
【図１】本発明に係る本体の一実施態様を示す断面図である。
【符号の説明】
１　　合成繊維編物生地
２　　合成樹脂膜
３　　糊材
４　　剥離紙
【図１】
2004129794.tif 000003